(57)【要約】  通信システムでレファレンス信号を伝送するための装置及び方法が提供される。前記方法は、送信機から第１類型の共通レファレンス信号を複数の受信機に伝送する段階と、複数の分散ポートから第２類型の受信機−特定レファレンス信号を前記複数の受信機のサブセットに伝送する段階と、を含み、前記第１類型の共通レファレンス信号及び前記第２類型の受信機−特定レファレンス信号は、異なるリソースに割り当てられ、前記通信システムは、前記送信機及び前記複数の受信機を含み、前記送信機は、前記複数の受信機に伝送するために複数の中央ポート及び複数の分散ポートを利用する。
2013544482.tif 000002
【特許請求の範囲】
【請求項１】
通信システムでレファレンス信号を伝送する方法において、
第１類型の共通レファレンス信号を送信機から複数の受信機に伝送する段階と、
第２類型の受信機−特定レファレンス信号を複数の分散ポートから前記複数の受信機のサブセットに伝送する段階と、
を含み、
前記第１類型の共通レファレンス信号及び前記第２類型の受信機−特定レファレンス信号は、異なるリソースに割り当てられ、
前記通信システムは、前記送信機及び前記複数の受信機を含み、
前記送信機は、前記複数の受信機に伝送するために複数の中央ポート及び複数の分散ポートを利用することを特徴とするレファレンス信号伝送方法。
【請求項２】
前記第１類型の共通レファレンス信号は、スケジューリングされた周波数ドメインで隣接するようにスケジューリングされたすべてのリソースブロックで伝送されることを特徴とする請求項１に記載のレファレンス信号伝送方法。
【請求項３】
前記リソース及び前記異なるリソースは、周波数及び時間次元の両方で多重の２次元リソースブロックに分割されることを特徴とする請求項１に記載のレファレンス信号伝送方法。
【請求項４】
前記複数の受信機のサブセットのうち１つのための前記第２類型の受信機−特定レファレンス信号は、前記周波数ドメインで前記システム帯域幅のサブバンド内で隣接する複数のリソースブロックで伝送されることを特徴とする請求項１に記載のレファレンス信号伝送方法。
【請求項５】
前記複数の受信のサブセットのうち１つのための第２類型の受信機−特定レファレンス信号は、前記周波数ドメインで前記システム帯域のサブバンド内でスケジューリングされた一定リソースブロック毎に伝送されることを特徴とする請求項１に記載のレファレンス信号伝送方法。
【請求項６】
前記第１類型の共通レファレンス信号を伝送する段階は、
前記第１類型の共通レファレンス信号の伝送以前にどんなリソース要素で前記複数の分散ポートのうち１つのための前記第１類型の共通レファレンス信号が伝送されるかをブロードキャストする段階を含むことを特徴とする請求項１に記載のレファレンス信号伝送方法。
【請求項７】
前記第２類型の受信機−特定レファレンス信号を伝送する段階は、
前記第２類型の受信機−特定レファレンス信号の伝送以前にどんなリソース要素で複数の分散ポートのうち１つの前記第２類型の受信機−特定レファレンス信号を伝送するかを受信機に通知する段階を含むことを特徴とする請求項１に記載のレファレンス信号伝送方法。
【請求項８】
通信システムにおいて、
複数の受信機に伝送するために複数の中央ポート及び複数の分散ポートを利用し、第１類型の共通レファレンス信号を前記複数の中央ポートから複数の受信機に伝送し、第２類型の受信機−特定レファレンス信号を前記複数の分散ポートから前記複数の受信機のサブセットに伝送する送信機と、
前記第１類型の共通レファレンス信号及び前記第２類型の受信機−特定レファレンス信号の設定を受信する複数の受信機と、
を含み、
前記第１類型の共通レファレンス信号及び前記第２類型の受信機−特定レファレンス信号は、異なるリソースに割り当てられることを特徴とする通信システム。
【請求項９】
前記第１類型の共通レファレンス信号は、前記周波数ドメインでスケジューリングされたすべてのリソースブロックで伝送されることを特徴とする請求項８に記載の通信システム。
【請求項１０】
前記リソース及び前記異なるリソースは、周波数及び時間次元の両方で多重の２次元リソースブロックに分割されることを特徴とする請求項８に記載の通信システム。
【請求項１１】
前記第２類型の受信機−特定レファレンス信号は、前記周波数ドメインで前記システム帯域幅のサブバンド内で複数の隣接するリソースブロックで伝送されることを特徴とする請求項９に記載の通信システム。
【請求項１２】
前記第２類型の受信機−特定レファレンス信号は、スケジューリングされるとき、周波数ドメインで前記システム帯域幅のサブバンド内に一定リソースブロック毎に伝送されることを特徴とする請求項１０に記載の通信システム。
【請求項１３】
前記送信機は、前記第１類型の共通レファレンス信号の伝送以前にどんなリソース要素で前記複数の分散ポートの前記第１類型の共通レファレンス信号が伝送されるかをブロードキャストすることを特徴とする請求項８に記載の通信システム。
【請求項１４】
前記送信機は、前記第２類型の受信機−特定レファレンス信号の伝送以前にどんなリソース要素で分散ポートの前記第２類型の受信機−特定レファレンス信号を伝送するかを受信機に通知することを特徴とする請求項８に記載の通信システム。
【発明の詳細な説明】
【技術分野】
【０００１】
本発明は、一般的にチャネル状態情報レファレンス信号を伝送する無線通信システムに関する。より詳細には、本発明は、レファレンス信号を認識することができるセルですべてのユーザ装置（ＵＥ；Ｕｓｅｒ  Ｅｑｕｉｐｍｅｎｔ）に対して共通であるチャネル状態情報レファレンス信号に関する。本発明は、３ＧＰＰ（３ｒｄ  Ｇｅｎｅｒａｔｉｏｎ  Ｐａｒｔｎｅｒｓｈｉｐ  Ｐｒｏｊｅｃｔ）リリース１０、１１及びそれ以上のリリースに適用されることができるが、これに限定されるものではない。
【背景技術】
【０００２】
３ＧＰＰリリース１０でＣＳＩ−ＲＳ
３ＧＰＰリリース１０で、システムは、最大８個の伝送アンテナポートを支援する。一方、以前リリース８及び９で、システムは、ただ最大４個の伝送アンテナポートを支援することができた。これにより、新しいレファレンスシグナリングが、増加された数のアンテナポートのために設計された。このレファレンスシグナリングは、プレコーディング（ｐｒｅｃｏｄｉｎｇ）なしにセルに特定され、チャネル状態情報レファレンス信号（ＣＳＩ−ＲＳ；Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）と指称される。
【０００３】
図１は、３ＧＰＰリリース１０で周波数分割二重化（ＦＤＤ；Ｆｒｅｑｕｅｎｃｙ  Ｄｉｖｉｓｉｏｎ  Ｄｕｐｌｅｘｉｎｇ）システムが構成されるとき、リソースブロック（ＲＢ；Ｒｅｓｏｕｒｃｅ  Ｂｌｏｃｋ）でＣＳＩ−ＲＳパターンを示す。ＣＳＩ−ＲＳは、リリース８及び９で共通レファレンスシグナリング（ＣＲＳ；Ｃｏｍｍｏｎ  Ｒｅｆｅｒｅｎｃｅ  Ｓｉｇｎａｌｉｎｇ）及び復調レファレンスシグナリング（ＤＭＲＳ；Ｄｅｍｏｄｕｌａｔｉｏｎ  Ｒｅｆｅｒｅｎｃｅ  Ｓｉｇｎａｌｉｎｇ）と衝突しないように設計される。
【０００４】
リリース１０でＣＳＩ−ＲＳパターンは、最大２０個のアンテナポート対または４０個のアンテナポートを支援することができる。リリース１０で通信リンクが最大８個のアンテナポートを支援するので、他の１６個のポート対は、隣接セルのＣＳＩ−ＲＳ伝送のために設定されることができる。そして、基地局（ｅＮＢ；Ｅｖｏｌｖｅｄ  Ｎｏｄｅ  Ｂ）は、さらに良いセル間干渉緩和のために対応するリソース要素（ＲＥ；Ｒｅｓｏｕｒｃｅ  Ｅｌｅｍｅｎｔ）がミュート（ｍｕｔｅ）になるように設定することができる。ＣＳＩ−ＲＳ伝送及びＣＳＩ−ＲＳ  ＲＥミュートの設定は、上位階層無線リソース連結（ＲＲＣ；Ｒａｄｉｏ  Ｒｅｓｏｕｒｃｅ  Ｃｏｎｎｅｃｔｉｏｎ）シグナリングで伝達される。
【発明の概要】
【発明が解決しようとする課題】
【０００５】
分散アンテナシステム
３ＧＰＰリリース１０のようなレガシー（ｌｅｇａｃｙ）システムは、さらに向上するはずなので、さらに多くのアンテナがセルの処理量をさらに増加させるためにセルにわたって分散方法で配置されることができる。
【課題を解決するための手段】
【０００６】
したがって、本発明は、従来の技術で発生する前述した問題点を解決するためになされたもので、本発明の一側面は、分散アンテナシステムを支援するためのレファレンスシグナリング割り当て及びチャネル推定のための装置及び方法を提供する。
【０００７】
本発明の一態様によれば、通信システムでレファレンス信号を伝送する方法が提供される。前記方法は、第１類型の共通レファレンス信号を送信機から複数の受信機に伝送する段階と、第２類型の受信機−特定レファレンス信号を複数の分散ポートから前記複数の受信機のサブセットに伝送する段階とを含み、前記第１類型の共通レファレンス信号及び前記第２類型の受信機−特定レファレンス信号は、異なるリソースに割り当てられ、前記通信システムは、前記送信機及び前記複数の受信機を含み、前記送信機は、前記複数の受信機に伝送するために複数の中央ポート及び複数の分散ポートを利用する。
【０００８】
本発明の他の態様によれば、通信システムが提供される。前記システムは、複数の受信機に伝送するために複数の中央ポート及び複数の分散ポートを利用して、第１類型の共通レファレンス信号を前記複数の中央ポートから複数の受信機に伝送し、第２類型の受信機−特定レファレンス信号を前記複数の分散ポートから前記複数の受信機のサブセットに伝送する送信機と、前記第１類型の共通レファレンス信号及び前記第２類型の受信機−特定レファレンス信号の設定を受信する複数の受信機とを含み、前記第１類型の共通レファレンス信号及び前記第２類型の受信機−特定レファレンス信号は、異なるリソースに割り当てられる。
【発明の効果】
【０００９】
本発明によれば、送信機及び複数の受信機を含む通信システムは、物理ダウンリンク共有チャネル（ＰＤＳＣＨ）に割り当てられたシンボルを利用してレファレンス信号を伝送することができる。
【図面の簡単な説明】
【００１０】
本発明の実施例の前記側面、特徴及び長所は、添付の図面を参照とする以下の説明からさらに明確になる。
【図１】ＦＤＤシステムのためのレガシーＣＳＩ−ＲＳパターン設定を示す。
【図２】分散アンテナシステム配置を示す。
【図３】レガシーＣＳＩ−ＲＳ属性を再使用するワイドバンドＤ−Ｐ  ＣＳＩ−ＲＳを示す。
【図４】低密度（ｓｐａｒｓｅ）Ｄ−Ｐ  ＣＳＩ−ＲＳ分散を示す。
【図５】サブバンドＤ−Ｐ  ＣＳＩ−ＲＳ分散を示す。
【図６】Ｄ−Ｐ  ＣＳＩ−ＲＳプロセッシングのための非−レガシーユーザ装置のための受信機構造を示す。
【図７】Ｄ−Ｐ  ＣＳＩ−ＲＳプロセッシングでユーザ装置動作の流れ図を示す。
【図８】Ｄ−Ｐ  ＣＳＩ−ＲＳプロセッシングで基地局動作の流れ図を示す。
【発明を実施するための形態】
【００１１】
詳細な説明で、リリース１０及び以前リリースを基盤とするユーザ装置は、レガシー（ｌｅｇａｃｙ）ユーザ装置と指称される。一方、リリース１１及び以後のリリースを基盤とするユーザ装置は、非−レガシー（ｎｏｎ−ｌｅｇａｃｙ）ユーザ装置と指称される。非−レガシーユーザ装置は、分散アンテナを有する向上したシステムを支援するものと仮定する。しかし、これら新たに配置されたアンテナポートは、レガシーユーザ装置によって認識されない。
【００１２】
本発明において、複数の分散アンテナポートは、複数の中央アンテナポートに加えてセルカバレージに配置される。
【００１３】
本発明は、通信システムがレファレンス信号を伝送するための装置及び方法を提供する。ここで、通信システムは、送信機及び複数の受信機を含む。
【００１４】
送信機は、複数の受信機に対して伝送するために複数の中央ポート及び複数の分散ポートを使用する。送信機は、すべての複数の受信機に対して複数の中央ポートから第１類型の共通レファレンス信号を伝送する。第１類型の共通レファレンス信号は、スケジューリングされたとき、周波数ドメインに隣接するすべてのリソースブロック上で伝送される。そして、送信機は、第１類型の共通レファレンス信号の伝送以前にどんなリソース上で第１類型の共通レファレンス信号が伝送されるかをブロードキャストする。
【００１５】
送信機は、第２類型の受信機−特定レファレンス信号を複数の分散ポートから複数の受信機のサブセットに伝送する。特定受信機のために、第２類型の受信機−特定レファレンス信号は、スケジューリングされたとき、周波数ドメインであらかじめ決定された数のリソースブロック毎に伝送される。他の好ましい実施例において、特定の受信機のために、第２類型の受信機−特定レファレンス信号は、スケジューリングされたとき、周波数ドメインのサブバンド内の隣接する複数のリソースブロックで伝送される。
【００１６】
送信機は、第２類型の受信機−特定レファレンス信号の伝送以前に、どんなリソースに第２類型の受信機−特定レファレンス信号が受信機に伝送されるかを受信機に通知する。
【００１７】
通信システムリソースは、周波数及び時間次元の両方で複数の２次元リソースブロックに分割される。リソースブロックは、時間ドメインでサブフレームとして定義されるあらかじめ決定された数のＯＦＤＭシンボル、例えば３ＧＰＰリリース８〜１０システムで７個のＯＦＤＭシンボルを占める。リソースブロックは、周波数ドメインであらかじめ決定された数のサブキャリア、例えば、３ＧＰＰリリース８〜１０システムで１２個のサブキャリアを占める。
【００１８】
第１類型の共通レファレンス信号及び第２類型の受信機−特定レファレンス信号に使用されるリソースは、互いに同一でない。第１類型の共通レファレンス信号及び第２類型の受信機−特定レファレンス信号は、必ずすべてのサブフレームで伝送される必要はない。そして、それらは、必ず同一のサブフレームで伝送される必要はない。
【００１９】
システムインフラ構造
図２は、ＤＡＳ（Ｄｉｓｔｒｉｂｕｔｅｄ  Ａｎｔｅｎｎａ  Ｓｙｓｔｅｍ）のシナリオを示す。ここで、中央制御ユニット２１０は、多重アンテナ要素２１５ａ、２１５ｂ、２１５ｃ、２１５ｄ、２１５ｅ、２１５ｇに連結される。少なくとも１つのアンテナ要素２１５ａ、２１５ｂ、２１５ｃ、２１５ｄ、２１５ｅ、２１５ｇは、１つのアンテナポートを形成するために使用されることができる。伝送電力及びカバレージによって、ＤＡＳでアンテナポートの２個のカテゴリーが存在することができる。
【００２０】
第１のものは、中央ポート２１０で示す。これは、セルカバレージを定義する。そして、すべての中央ポート２１０は、セルカバレージ内ですべてのユーザ装置によって認識されることができる。中央ポートは、また、レガシーセルラシステムで従来のアンテナポートとして指称される。
【００２１】
第２の類型のアンテナポートは、ポート２１５ａ、２１５ｂ、２１５ｃ、２１５ｄ、２１５ｅ、２１５ｇに分散される。それらは、直接リンクまたは他の高速リンクで中央制御ユニットに連結される。分散アンテナポートのカバレージ領域が、通常、中央アンテナポート２１０のサブセットになるように、伝送電力またはアンテナ方向は、これら分散アンテナ２１５ａ、２１５ｂ、２１５ｃ、２１５ｄ、２１５ｅ、２１５ｇのために調節される。
【００２２】
Ｄ−Ｐ  ＣＳＩ−ＲＳ割り当て：低密度割り当て
言及したように、通常、システムは、２つの類型のＣＳＩ−ＲＳを伝送する。中央ポート（Ｃ−Ｐ；Ｃｅｎｔｒａｌ  Ｐｏｒｔｓ）ＣＳＩ−ＲＳ及び分散ポート（Ｄ−Ｐ；Ｄｉｓｔｒｉｂｕｔｅｄ  Ｐｏｒｔｓ）ＣＳＩ−ＲＳがそれである。これら２つの類型のＣＳＩ−ＲＳの伝送は、ユーザ装置の性能（ｃａｐａｂｉｌｉｔｉｅｓ）及び／またはユーザ装置の位置及び／または各アンテナポートに対するチャネル品質に基づいて独立的にスケジューリングされる。
【００２３】
非−レガシーシステムは、Ｄ−Ｐ  ＣＳＩ−ＲＳのためのレガシーシステムで正確に同一のＣＳＩ−ＲＳパターンを再使用する。Ｄ−Ｐ  ＣＳＩ−ＲＳは、５０個リソースブロック（ＲＢ）のシステム帯域幅のために、図３に示されたように、すべてのリソースブロック上で伝送されなければならない。しかし、Ｄ−Ｐの数が大きいとき、そのようなリソース割り当ては、オーバーヘッドコスティング（ｏｖｅｒｈｅａｄ−ｃｏｓｔｉｎｇ）になる。
【００２４】
図３で、物理ダウンリンク制御チャネル（ＰＤＣＣＨ；Ｐｈｙｓｉｃａｌ  Ｄｏｗｎｌｉｎｋ  Ｃｏｎｔｒｏｌ  ＣＨａｎｎｅｌ）は、参照符号３１０ａ、３１０ｂ、３１０ｃ及び３１０ｄの領域に位置するシンボルに割り当てられ、物理ダウンリンク共有チャネル（ＰＤＳＣＨ；Ｐｈｙｓｉｃａｌ  Ｄｏｗｎｌｉｎｋ  Ｓｈａｒｅｄ  ＣＨａｎｎｅｌ）は、３２０ａ、３２０ｂ、３２０ｃ及び３２０ｄの領域に位置するシンボルに割り当てられる。Ｃ−Ｐ  ＣＳＩ−ＲＳ及びＤ−Ｐ  ＣＳＩ−ＲＳ  ３３０は、参照符号３２０ａ、３２０ｂ、３２０ｃ及び３２０ｄの領域に位置するシンボルに割り当てられる。
【００２５】
一実施例において、Ｄ−Ｐ  ＣＳＩ−ＲＳは、Ｃ−Ｐ  ＣＳＩ−ＲＳに並列で伝送される。図４は、低密度設定（ｓｐａｒｓｅ  ｃｏｎｆｉｇｕｒａｔｉｏｎ）を有するＣ−Ｐ  ＣＳＩ−ＲＳ及びＤ−Ｐ  ＣＳＩ−ＲＳに対するリソース要素（ＲＥ）割り当てを示す。図４にＣ−Ｐ  ＣＳＩ−ＲＳ及びＤ−Ｐ  ＣＳＩ−ＲＳが同一のサブフレームに割り当てられたもののように図示されているが、Ｃ−Ｐ  ＣＳＩ−ＲＳ及びＤ−Ｐ  ＣＳＩ−ＲＳは、必ず同一のサブフレームに割り当てられる必要がないことに留意しなければならない。図４で、ＰＤＣＣＨは、参照符号４１０ａ、４１０ｂ、４１０ｃ及び４１０ｄの領域に位置するシンボルに割り当てられる。そして、ＰＤＳＣＨは、参照符号４２０ａ、４２０ｂ、４２０ｃ及び４２０ｄの領域に位置するシンボルに割り当てられる。Ｃ−Ｐ  ＣＳＩ−ＲＳ  ４３０、Ｄ−Ｐ  ＣＳＩ−ＲＳ１  ４４０及びＤ−Ｐ  ＣＳＩ−ＲＳ２  ４５０は、参照符号４２０ａ、４２０ｂ、４２０ｃ、４２０ｄの領域に位置するシンボルに割り当てられる。
【００２６】
一実施例において、特定Ｄ−Ｐ１、Ｄ−Ｐ２のためのＤ−Ｐ  ＣＳＩ−ＲＳ１  ４４０及びＤ−Ｐ  ＣＳＩ−ＲＳ２  ４５０は、周波数ドメイン上で低密度に（まばらに）伝送される。すなわち、特定Ｄ−ＰのためのＤ−Ｐ  ＣＳＩ−ＲＳ１  ４４０及びＤ−Ｐ  ＣＳＩ−ＲＳ２  ４５０は、周波数ドメインですべてのリソースブロックで伝送されるものではなく、Ｎ個のリソースブロック毎に伝送される。図４は、Ｎ＝２の場合を示す。ここで、Ｄ−Ｐ１のためのＣＳＩ−ＲＳ１  ４４０は、偶数インデックスを有するリソースブロックで伝送される。一方、Ｄ−Ｐ２のためのＣＳＩ−ＲＳ２  ４５０は、奇数インデックスを有するリソースブロックで伝送される。
【００２７】
そのような均等低密度分散は、全体帯域幅にわたってＤ−Ｐ中に同一の間隔を提供し、したがって、単純な高速フーリエ変換（ＦＦＴ；Ｆａｓｔ  Ｆｏｕｒｉｅｒ  Ｔｒａｎｓｆｏｒｍ）基盤チャネル推定が可能にする。Ｄ−Ｐ  ＣＳＩ−ＲＳの時間ドメインで密度または周期性は、固定されるか（例えば、周波数ドメインで２個の物理リソースブロック毎に）、または設定可能になることができる。後者の場合、基地局（ｅＮＢ）がＤ−Ｐ  ＣＳＩ−ＲＳ設定情報をユーザ装置に伝送するとき、このＤ−Ｐ  ＣＳＩ−ＲＳ設定情報は、リソース要素位置及び密度情報の両方を含む。
【００２８】
したがって、システムに共存する２つの類型のＣＳＩ−ＲＳ、すなわちセルに特定され、固定された密度であるＣＳＩ−ＲＳ及びユーザ装置に特定され、密度が設定されることができるＤ−Ｐ  ＣＳＩ−ＲＳが存在する。
【００２９】
Ｄ−Ｐ  ＣＳＩ−ＲＳ割り当て：サブバンド割り当て
他の実施例において、Ｄ−Ｐ  ＣＳＩ−ＲＳは、全体システム帯域幅にわたって設定される代わりに、システム帯域幅のサブバンドで設定されることができる。
【００３０】
図５は、サブバンド設定を有するＣ−Ｐ  ＣＳＩ−ＲＳ及びＤ−Ｐ  ＣＳＩ−ＲＳのためのリソース要素（ＲＥ）割り当てを示す。図５に示されたように、Ｃ−Ｐ  ＣＳＩ−ＲＳ及びＤ−Ｐ  ＣＳＩ−ＲＳは、同一のサブフレームに割り当てられなければならない必要はないという点に留意しなければならない。
【００３１】
図５で、物理ダウンリンク制御チャネル（ＰＤＣＣＨ）は、領域５１０ａ、５１０ｂ、５１０ｃ、５１０ｄに位置するシンボルに割り当てられる。そして、物理ダウンリンク共有チャネル（ＰＤＳＣＨ）は、領域５２０ａ、５２０ｂ、５２０ｃ及び５２０ｄに位置するシンボルに割り当てられる。Ｃ−Ｐ  ＣＳＩ−ＲＳ  ５３０、Ｄ−Ｐ  ＣＳＩ−ＲＳ１  ５４０及びＤ−Ｐ  ＣＳＩ−ＲＳ２  ５５０は、領域５２０ａ、５２０ｂ、５２０ｃ及び５２０ｄに位置するシンボルに割り当てられる。
【００３２】
実施例において、特定Ｄ−ＰのためのＤ−Ｐ  ＣＳＩ−ＲＳ  ５４０及び５５０は、システム帯域幅のサブバンド上で局所的に（ｌｏｃａｌｌｙ）伝送される。すなわち、Ｄ−Ｐ  ＣＳＩ−ＲＳ  ５４０及び５５０は、周波数ドメインでリソースブロック（ＲＢ）毎に伝送されない。しかし、リソースブロック（ＲＢ）のサブセットは、システム帯域幅のサブバンド内で含まれる。図５は、２つのサブバンドの場合を示す。ここで、Ｄ−Ｐ１のためのＣＳＩ−ＲＳ１  ５４０は、リソースブロック（ＲＢ）＃０〜＃２４を有する第一の半分の帯域幅で伝送される。一方、Ｄ−Ｐ２のためのＣＳＩ−ＲＳ２  ５５０は、リソースブロック（ＲＢ）＃２５〜＃４９を有する第二の半分の帯域幅で伝送される。Ｄ−Ｐ  ＣＳＩ−ＲＳ  ５４０及び５５０は、全体帯域幅上で拡散されない。したがって、Ｃ−Ｐ  ＣＳＩ−ＲＳ  ５３０のチャネル推定器とは異なるチャネル推定器が使用されなければならない。また、推定器は、システムで他の目的のためのサブバンドチャネル推定器を再使用することができる。例えば、推定器は、復調レファレンスシグナリングに使用されることができ、この復調レファレンスシグナリングは、システムのサブバンドで伝送される。
【００３３】
Ｄ−Ｐ  ＣＳＩ−ＲＳ  ５４０及び５５０のサブバンドは、各ユーザ装置のために設定可能でなければならない。基地局（ｅＮＢ）がユーザ装置にＤ−Ｐ  ＣＳＩ−ＲＳ設定情報を伝送するとき、このＤ−Ｐ  ＣＳＩ−ＲＳ設定情報は、リソース要素（ＲＥ）の位置及びサブバンド情報の両方を含む。他の実施例において、サブバンドは、ユーザ装置のためのデータ伝送に割り当てられた最近リソースと同一のサブバンドに割り当てられる。
【００３４】
Ｄ−Ｐ  ＣＳＩ−ＲＳ割り当て：サブ帯域伝送を有する低密度割り当て
他の実施例において、前述した２つのスキーム（ｓｃｈｅｍｅ）がサブバンド上で低密度Ｄ−Ｐ  ＣＳＩ−ＲＳ伝送を提供するために組み合わせられることができる。
【００３５】
密度及びサブ帯域の両方は、実際Ｄ−Ｐ  ＣＳＩ−ＲＳ伝送前にユーザ装置に通知されなければならない。
【００３６】
Ｄ−Ｐ  ＣＳＩ−ＲＳを有するユーザ装置動作
レガシーユーザ装置
Ｄ−Ｐ  ＣＳＩ−ＲＳが提供されるとき、レガシーリリース１０ユーザ装置は、Ｄ−Ｐ  ＣＳＩ−ＲＳを認識しないことがある。レガシーユーザ装置に対してＤ−Ｐ  ＣＳＩ−ＲＳを処理するための２つの代案が存在する。
【００３７】
代案１：基地局は、レガシーリリース１０ユーザ装置のためにＤ−Ｐ  ＣＳＩ−ＲＳのためのリソース要素がミュート（ｍｕｔｅ）になるように設定する。したがって、レガシーユーザ装置は、リソース要素が他のセルからのＣＳＩ−ＲＳ伝送のためにミュートされるものと推定する。基地局及びユーザ装置は、リソーススケジューリングを行うとき、ミュートされたリソース要素に対してレートマッチング（ｒａｔｅ  ｍａｔｃｈｉｎｇ）を行う。
【００３８】
代案２：基地局は、Ｄ−Ｐ  ＣＳＩ−ＲＳのためのこれらリソース要素がレガシーリリース１０ユーザ装置のためにミュートされるように設定しない。レガシーユーザ装置は、リソース要素がそれらに対して割り当てられれば、相変らずデータシンボルを伝達するものと推定しなければならない。基地局は、リリース１０レガシーユーザ装置のためのリソーススケジューリングを行うとき、ミュートリソース要素に対してデータパンクチャリング（ｄａｔａ  ｐｕｎｃｔｕｒｉｎｇ）を行う。
【００３９】
代案１は、ＣＳＩ−ＲＳリソース要素ミューティングがレガシーシステムで既に支援されるので、代案２より好ましいことができる。一般的に、Ｄ−Ｐ  ＣＳＩ−ＲＳが設定されるとき、リリース１０レガシーユーザ装置の動作に対するどんな変化もない。したがって、提案されたＤＡＳシステムは、下位バージョンとの互換性がある（ｂａｃｋｗａｒｄ  ｃｏｍｐａｔｉｂｌｅ）。
【００４０】
非−レガシーユーザ装置
図６は、Ｄ−Ｐ  ＣＳＩ−ＲＳプロセッシングのための非−レガシーユーザ装置の受信機構造を示す。ＲＦモジュール６１０でＲＦプロセッシング後に受信されたベースバンド信号は、ＣＲＳ／ＤＭ−ＲＳ  ６２０のためのチャネル推定器で他のレファレンス信号に基づくチャネル推定に使用される。レガシーシステムは、ＣＲＳ、ＤＭＲＳ及びワイドバンド（ｗｉｄｅｂａｎｄ）ＣＳＩ−ＲＳを支援する。
【００４１】
ＣＲＳ及びＤＭＲＳ（Ｄｅｍｏｄｕｌａｔｉｏｎ  Ｒｅｆｅｒｅｎｃｅ  Ｓｉｇｎａｌ）に基づいて推定されたチャネルは、復調器及びデコーダ６２５でデータ／制御ペイロードの復調のために使用される。一方、ＣＳＩ−ＲＳの推定されたチャネルは、フィードバック生成器６５０でチャネル状態情報に関して基地局に対するフィードバックを生成するために使用される。３個のチャネル推定器は、存在する場合、各ＲＳのためのチャネル推定に必要である。
【００４２】
レガシーインフラ構造とは異なって、ＤＰＣ  ＳＩ−ＲＳの提案された新しいカテゴリーのために新しいチャネル推定器が必要である。ベースバンド信号は、新たに提案されたＤ−Ｐ  ＣＳＩ−ＲＳ及びレガシーＣ−Ｐ  ＣＳＩ−ＲＳのための２個のＣＳＩ推定器に入力される。図６の図示で、２個の推定器は、並列で分離されるものと仮定する。しかし、２個の推定器が異なる設定を有する同一のチャネル推定器を使用することもできるということに留意しなければならない。Ｄ−Ｐ  ＣＳＩ−ＲＳ及びＣ−Ｐ  ＣＳＩ−ＲＳチャネル推定器の出力は、基地局に対するチャネル状態情報フィードバックを生成するように使用されることができる。ペイロードデコーダ及びチャネル状態推定の出力は、後処理及び実際フィードバック生成とスケジューリングのために上位階層性能を有する制御機６６０に伝送される。
【００４３】
Ｄ−Ｐ  ＣＳＩ−ＲＳが提供されれば、基地局は、関連ユーザ装置にＤ−Ｐ  ＣＳＩ−ＲＳ設定を伝送する。好ましくは、このメッセージは、ＲＲＣ設定シグナリングを通じて伝送される。ＲＲＣは、１つのユーザ装置のためにユニキャストされるか、同一のセットのＤ−Ｐをモニタリングする多重ユーザ装置のためにマルチキャストされることができる。
【００４４】
図７は、Ｄ−Ｐ  ＣＳＩ−ＲＳを利用することに対する非−レガシーユーザ装置の動作を示す。
【００４５】
ユーザ装置は、７１０段階で、初期接続及び性能交渉を行う。基地局は、まず、ユーザ装置にＤ−Ｐ  ＣＳＩ−ＲＳ設定を伝送する。したがって、ユーザ装置は、７２０段階で、Ｃ−Ｐ−ＣＳＩ−ＲＳ及びＤ−Ｐ−ＣＳＩ−ＲＳ設定を受信する。ユーザ装置は、Ｄ−Ｐ  ＣＳＩ−ＲＳ伝送のために使用されるリソースを獲得する。また、ユーザ装置は、レガシーセル特定ＲＲＣ設定を通じてＣ−Ｐ  ＣＳＩ−ＲＳを獲得する。ＣＳＩ−ＲＳパターンがレガシーセル特定設定でミュートされたものと設定され、非−レガシーユーザ装置特定設定でＤ−Ｐ  ＣＳＩ−ＲＳとして設定されれば、ユーザ装置は、後者として推定する。
【００４６】
ユーザ装置は、７３０段階で、前記受信があれば、Ｄ−Ｐ  ＣＳＩ−ＲＳ及びＣ−Ｐ  ＣＳＩ−ＲＳの両方に対してチャネル推定を行う。Ｄ−Ｐ  ＣＳＩ−ＲＳ及びＣ−Ｐ  ＣＳＩ−ＲＳが同一のサブフレームに提供されれば、両ＣＳＩ−ＲＳに対するチャネル推定の手順は、具現問題である。２つの類型のＣＳＩ−ＲＳチャネル推定のために使用される推定器は、異なるように設計されるか、または異なる入力パラメータを有するように同一に設計されることができる。
【００４７】
ユーザ装置は、７４０段階で、受信されたＤ−Ｐ  ＣＳＩ−ＲＳ及びＣ−Ｐ  ＣＳＩ−ＲＳに基づくフィードバックを生成し、設定されたもののように基地局にフィードバックを伝送する。フィードバックは、Ｄ−Ｐ  ＣＳＩ−ＲＳ及びＣ−Ｐ  ＣＳＩ−ＲＳそれぞれに対して個別的にレポートされるか、両方に対して一緒にレポートされることができる。後者の場合において、ユーザ装置は、レポートのためにＣ−Ｐ及びＤ−Ｐからいくつかのポートを選択することができ、ポート選択情報も知られる必要がある。その後、ユーザ装置は、データ通信終了が選択されるか否かを判断するために基地局とデータ通信を行う。データ通信終了が選択されなければ、ユーザ装置は、７２０段階をさらに行う。
【００４８】
Ｄ−Ｐ  ＣＳＩ−ＲＳを有する基地局動作
図８は、分散アンテナを利用する基地局及び非−レガシーユーザ装置のための流れ図を示す。
【００４９】
基地局は、８１０段階で、初期接続及び性能交渉を行い、８２０段階で、ユーザ装置がレガシーユーザ装置であるか否かを判断する。非−レガシーユーザ装置は、レガシーシステムに対して類似のプロシージャを利用してネットワークに接続する。基地局が接続しているユーザ装置が分散アンテナを利用して通信することができるかを認知するために、ユーザ装置及び基地局は、性能情報を交換する。
【００５０】
基地局は、選択的にこのための候補セットを決定するためにユーザ装置のためのアップリンクレファレンスシグナリングを設定する。そして、基地局は、ユーザ装置に対する候補セット情報をアップデートする。候補セットは、８３０段階で、他の方法で、例えば、ユーザ装置の位置に基づいて決定されることもできる。
【００５１】
基地局は、８４０段階で、ユーザ装置のためのＤ−Ｐ  ＣＳＩ−ＲＳを設定する。ユーザ装置は、これら設定された分散ポート上で測定されたチャネルをレポートする。
【００５２】
非−レガシーユーザ装置のためのＤ−Ｐ  ＣＳＩの設定は、次のうち１つになることができる。
【００５３】
代案１：基地局は、ユーザ装置のための候補Ｄ−Ｐセットを設定し、基地局は、Ｄ−Ｐ  ＣＳＩ−ＲＳパターン設定をユーザ装置に通知する。ユーザ装置は、ただ候補Ｄ−Ｐセットからチャネルをレポートする。
【００５４】
代案２：基地局は、ユーザ装置に対する候補Ｄ−Ｐセットを設定しない。その代わりに、基地局は、Ｄ−Ｐ  ＣＳＩ−ＲＳパターン設定をユーザ装置に通知する。ユーザ装置は、パターンインデックスとともにＤ−Ｐ  ＣＳＩ−ＲＳからチャネルをレポートする。
【００５５】
ユーザ装置からＤ−Ｐ  ＣＳＩ−ＲＳに対するフィードバックを受信すれば、基地局は、８５０段階で、ユーザ装置に対する伝送モード及び／または伝送属性を決定する。その後、基地局は、８６０段階で、ユーザ装置と通信を行い、８６５段階で、データ通信終了が選択されるか否かを判断する。データ通信終了が選択されなければ、基地局は、８３０段階をさらに行う。
【００５６】
調節事項（ａｄｊｕｓｔｍｅｎｔ）は、上位階層ＲＲＣシグナリングまたは物理制御チャネルシグナリングを通じてユーザ装置に伝送される。また、基地局は、必要に応じて、Ｄ−Ｐ  ＣＳＩ−ＲＳ設定及び／またはユーザ装置のための候補セットを調節することができる。
【００５７】
Ｄ−Ｐ  ＣＳＩ−ＲＳ伝送及びレポートの周期は、基地局とユーザ装置との間に通信が行われるまでまたはユーザ装置が分散アンテナポートを利用しない他の伝送モードに設定されるまで続く。
【００５８】
８２０段階で、ユーザ装置がレガシーユーザ装置なら、基地局は、従来の伝送属性を決定するためにユーザ装置のためのアップリンクレファレンスシグナリングを設定し、ユーザ装置に対する従来の伝送属性をアップデートする。その後、基地局は、８８０段階で、ユーザ装置と従来のデータ通信を行い、８８５段階で、データ通信終了が選択されるか否かを判断する。データ通信終了が選択されなければ、基地局は、８７０段階をさらに行う。
【００５９】
本発明がその実施例を参照して図示され説明されたが、添付の請求範囲及びその均等物によって定義される本発明の思想及び範囲を逸脱することなく、形式及び詳細事項で多様な変更が行われることができることは、この技術分野における通常の知識を有する者なら理解されることができる。
【符号の説明】
【００６０】
２１０…    中央ポート
２１５ａ…  多重アンテナ要素
２１５ｂ…  多重アンテナ要素
２１５ｃ…  多重アンテナ要素
２１５ｄ…  多重アンテナ要素
２１５ｅ…  多重アンテナ要素
２１５ｆ…  多重アンテナ要素
２１５ｇ…  多重アンテナ要素
６１０…    ＲＦモジュール
６２０…    ＣＲＳ／ＤＭ−ＲＳのためのチャネル推定器
６３０…    Ｃ−Ｐ  ＣＳＩ−ＲＳのためのチャネル推定器
６４０…    Ｄ−Ｐ  ＣＳＩ−ＲＳのためのチャネル推定器
６５０…    フィードバック生成器
６６０…    制御及び上位階層モジュール
【図１】
2013544482.tif 000003
【図２】
2013544482.tif 000004
【図３】
2013544482.tif 000005
【図４】
2013544482.tif 000006
【図５】
2013544482.tif 000007
【図６】
2013544482.tif 000008
【図７】
2013544482.tif 000009
【図８】
2013544482.tif 000010
【国際調査報告】
2013544482.tif 000011
2013544482.tif 000012
2013544482.tif 000013